(57)【要約】【課題】天井埋め込み型の照明器具を設置するにあたり、器具本体と天井裏側の躯体との間に所要距離が在るかどうかを確認できるようにする。【解決手段】光源３が内装される器具本体２を天井部材３０に形成した開孔３０ａへ装着して取り付けるにあたり、器具本体２の上面に、当該上面から所要寸法だけ上方へ突出する空間保持部材１０を立設する。空間保持部材１０を天井部材開孔３０ａへ差し入れることにより、器具本体２と天井裏側の躯体との間が所要距離以上離れているかどうかを確認することができる。天井裏側の間隔が所要距離に満たないときは、空間保持部材１０が躯体等に衝突するので、器具本体２を開孔３０ａへ装着することができない。器具本体２の上方に放熱用空間を確保可能なときだけ器具本体２の装着が可能であるから、照明器具１の過熱を未然に防止できる。【選択図】      図１
2009087804.tif 000002
【特許請求の範囲】
【請求項１】
光源が内装される器具本体を、天井部材に形成された開孔へ装着して取り付ける照明器具であって、器具本体の上面に、当該上面から所要寸法だけ上方へ突出する空間保持部材を立設したことを特徴とする天井照明器具。
【請求項２】
前記空間保持部材は、器具本体に対し、上方へ突出する起立位置と、横倒しにした横臥位置との間で姿勢の変更が可能であり、当該空間保持部材を起立位置に保持する保持手段が器具本体に設けられている請求項１に記載の天井照明器具。
【請求項３】
前記空間保持部材が横臥位置に在るときに、当該空間保持部材の先端が、平面視した器具本体の投影形状の外側へ突出するように設定されている請求項２に記載の天井照明器具。
【請求項４】
前記空間保持部材に注意喚起シールの貼着部を設けた請求項１乃至３のいずれかに記載の天井照明器具。
【請求項５】
前記空間保持部材の上端部に、器具本体の直上において拡がるダストカバーを設けた請求項１乃至４のいずれかに記載の天井照明器具。
【発明の詳細な説明】
【技術分野】
【０００１】
本発明は、天井パネル等の天井部材に設けた開孔へ器具本体を装着して取り付ける天井埋め込み型の照明器具（いわゆるダウンライト）において、天井裏へ突出する器具本体の上方に、過熱防止用の空間を確保するための技術に関する。
【背景技術】
【０００２】
部屋の天井に照明器具を設置するにあたり、光源が内装される器具本体を、天井部材の上方へ突出させて施工する天井埋め込み型のもの（ダウンライト）が知られている。図６及び図７に示すように、天井埋め込み型照明器具Ｘの施工は、天井部材３０に形成した開孔３０ａへ下面側から器具本体２１を装着し、器具本体２１の一部を天井裏側へ突出させる。そして光源２２を、器具本体２１に取り付けたソケット２４に取着し、必要に応じ、器具本体２１の下方部を覆うグローブ２３又はカバーを配設する。
【０００３】
天井部材３０の裏面側に断熱材３１を配置する場合、過熱防止のため、器具本体２１と断熱材３１との間には、所定距離（例えば１０ｃｍ以上）の離隔部３２を形成することが要請される。特許文献１には、天井埋め込み型の照明器具を設置するにあたり、天井裏に配設した断熱材と器具本体との間に放熱用空間を確保するための技術が記載されている。
【特許文献１】特開２００７−１５７６６０号公報
【発明の開示】
【発明が解決しようとする課題】
【０００４】
特許文献１に記載された照明器具は、光源（ランプ）を収納する器具本体の側方に放熱空間を形成する手段として、水平方向へ突出する第１ユニットを反射体に設け、第１ユニットとは反対方向へ水平に突出する第２ユニットを器具本体に設けるという構成を採用している。このため、部材点数が多くなり、構造が複雑化すると共に、施工作業が難しくなるという問題を有している。
【０００５】
また図７に示すように、器具本体２１の上面と天井裏側の躯体４０（又はこれに類する構造物）との間は、放熱空間を確保するため、所要距離以上の間隔ｄを有していることが望ましい。器具本体２１と上方の躯体４０との間隔ｄが所要距離に満たない場合は、過熱防止のために、天井埋め込み型の照明器具を使用しないのが好ましい。しかるに特許文献１の技術では、器具本体２１と躯体４０との間隔ｄが所要距離以上であるかどうかを確認することができない。
【課題を解決するための手段】
【０００６】
請求項１に係る本発明は、天井埋め込み型の照明器具を設置するにあたり、器具本体と天井裏側の躯体又はこれに類する構造物（以下、躯体等と言う）との間に所要距離が在るかどうかを確認できるようにするためのものであって、その特徴とするところは、光源が内装され、天井部材に形成された開孔へ装着される器具本体の上面に、当該上面から所要寸法だけ上方へ突出する空間保持部材を立設したことである。
【０００７】
請求項２に係る本発明は、器具本体に空間保持部材を設けた場合に、搬送時や施工時における取り扱いを容易にするためのものであって、その特徴とするところは、前記空間保持部材を、器具本体に対し、上方へ突出する起立位置と、横倒しにした横臥位置との間で姿勢の変更を可能とし、当該空間保持部材を起立位置に保持する保持手段を器具本体に設けたことである。
【０００８】
請求項３に係る本発明は、請求項２に記載する天井照明器具において、搬送時や施工時の取り扱いを容易にすると共に、施工時にあっては器具本体に設けた空間保持部材を確実に機能させるためのものであって、その特徴とするところは、前記空間保持部材が横臥位置に在るときに、当該空間保持部材の先端が、平面視した器具本体の投影形状の外側へ突出するように設定したことである。
【０００９】
請求項４に係る本発明は、施工時の注意喚起用シールを貼着することによって、器具本体に形成される放熱用の開孔を塞がないようにするためのものであって、その特徴は、前記空間保持部材に注意喚起シールの貼着部を設けたことである。
【００１０】
請求項５に係る本発明は、器具本体の上面に配設される電気配線の結線部や電気部品に埃が被るのを防ぐためのものであって、その特徴は、前記空間保持部材の上端部に、器具本体の直上において拡がるダストカバーを設けたことである。
【発明の効果】
【００１１】
請求項１に係る本発明によれば、器具本体の上面に所要寸法だけ上方へ突出する空間保持部材を立設したので、これを、天井部材の開孔へ差し入れることにより、器具本体と天井裏側の躯体等との間が所要距離以上離れているかどうかを確認することができる。すなわち、器具本体と天井裏側の躯体等との間隔が所要距離以上であれば、器具本体を開孔へ所定の状態で装着できるが、器具本体と天井裏側の躯体等との間隔が所要の距離に満たないときは、空間保持部材が躯体等に衝突するので、器具本体を開孔へ装着することができない。従って、器具本体と天井裏側の躯体等との間隔が所要距離以上であり、器具本体の上方に放熱用空間を確保可能なときだけ、照明器具の設置を可能とするから、施工環境が天井埋め込み型照明器具の設置に適しているかどうかを容易に判断できる。
【００１２】
請求項２に係る本発明によれば、照明器具の搬送時や収納保管時には空間保持部材を器具本体に対し横臥位置とすることにより、突出高さを小さくできるから、その取り扱いが容易になる。そして、施工時には、空間保持部材を起立位置に保持することにより、器具本体の上方に放熱用空間を確保することができる。
【００１３】
請求項３に係る本発明によれば、空間保持部材を横臥位置としたときには、当該空間保持部材の先端が器具本体の外側へ突出するように設定したことにより、そのままでは、天井部材に形成した開孔へ装着することができないようになされている。それ故、空間保持部材を起立位置に設定しなくては、器具本体の装着が不可能なので、施工時に空間保持部材を起立させるのを忘れることがない。
【００１４】
請求項４に係る本発明によれば、空間保持部材に注意喚起シールを貼り付けることのできる貼着部を設けたので、器具本体にシールを貼着して器具本体に形成した放熱用開孔を塞ぐのを回避できる。
【００１５】
請求項５に係る本発明によれば、空間保持部材の上端部にダストカバーを設けたので、器具本体の上面に配設される電気配線の結線部や電気部品等に埃が溜まりにくくなる。その結果、電気部品等の動作を長期にわたり健全に保つのが容易である。
【発明を実施するための最良の形態】
【００１６】
［第１の実施形態］
図１に、本発明に係る天井照明器具１の一実施形態を示す。当該照明器具１は、天井部材３０の開孔３０ａに装着される器具本体２、器具本体２に内装される光源３、光源３が取着されるソケット４、器具本体２の下面側に配設されるグローブ５（又はカバー）を備える点は従来と共通であり、器具本体２の上面に上方へ突出する空間保持部材１０を設けたところに特色を有している。
【００１７】
天井部材３０の裏面側に断熱材３１を配設する場合、照明器具１を取り付けるための開孔３０ａの周囲は断熱材３１を省略して、器具本体２との間に適宜距離（例えば１０ｃｍ以上）の離隔部３２が設けられる。本例の器具本体２は、天井部材３０の下面側に配置される開孔３０ａよりも大径なフランジ部２ａと、天井部材３０の開孔３０ａ内へ挿入され天井裏へ突出する円錐台状（円筒状でもよい）の頭部２ｂとから成り、フランジ部２ａをビス３３で天井部材３０へ固定することにより、器具本体２が天井に取り付けられる。頭部２ｂには、電球・蛍光灯その他の光源３を保持すると同時に通電するためのソケット４が設けられる。なお符号４ａは、ソケット４へ通電するための配線である。頭部２ｂの側周部には、光源３の熱を放散させるための多数のスリット２ｃ又は開孔が形成される。フランジ部２ａには、光源３の表面を覆うグローブ５又はカバーが着脱可能に配設される。
【００１８】
本発明の特徴である空間保持部材１０は、器具本体２の頭部２ｂの上面から上方へ起立するように設けられる。空間保持部材１０と器具本体２とは、一体に形成してもよく、あるいは両者を別体に製作し、施工時に組み付けてもよい。本例の空間保持部材１０の形態は板状であり、その表面に、照明器具施工時の注意を記載した注意喚起シール２０を貼着可能な貼着部が設けられる。空間保持部材１０の主たる機能は、器具本体２の上方に放熱用空間が存在していることを確認するためのものであって、器具本体２の頭部２ｂ上面からの突出高さＨは、例えば５ｃｍ以上に設定される。天井部材３０の裏面側の躯体等と器具本体２との間隔が所要距離（５ｃｍ）以上であれば、器具本体２を所定の状態で設置できる。しかるに、躯体等と器具本体２との間隔が所要距離（５ｃｍ）未満の場合は、器具本体２を天井部材３０の開口部３０ａへ挿入したときに、空間保持部材１０が躯体等に衝突するため、器具本体２を天井部材３０に取り付けることができなくなる。このように本発明は、天井裏面側に所要の放熱空間を確保できない場合は、器具本体２の装着を不可とすることにより、過熱状態の発生を未然に防止する。なお、天井裏面側の間隔が所要距離に足りないことが分かったときは、天井埋め込み型でない構造の照明器具を採用すればよい。
【００１９】
図２に示すように、空間保持部材１０を、２枚の板状材１０ａ，１０ａを中間で交差させて組み合わせた如き形態とすることにより、曲げ強度の向上を図ることが出来る。図１に例示する空間保持部材１０は、板状材の厚みが薄いときには、躯体等に衝突した際に湾曲して、施工作業者が天井裏面側の躯体等までの間隔寸法について判断を誤るおそれがある。これに対し、本例の空間保持部材１０は容易に湾曲することがないから、上記の誤判断を招くおそれがない。
【００２０】
［第２の実施形態］
図３（Ａ）に示すように、空間保持部材１０を、器具本体２に対し、直立する起立位置Ｓと、横倒しにした横臥位置Ｔとの間で姿勢変更可能に構成することが考えられる。本例の空間保持部材１０は、金属又はプラスチックから成る棒状材をコ字状に成形して製作され、脚部１１，１１間を弾性的に拡開可能とする。脚部１１の下端部には、同図（Ｃ）に示す如く、さらに折り曲げ形成した支持軸１１ａを設け、該支持軸１１ａを、器具本体２の頭部２ｂ側面に形成した開口部（図示せず）へ挿入可能とする。他方、同図（Ｂ）に示す如く、器具本体２の頭部２ｂ側面の開口部位置には、鉛直方向及び水平方向に開放するＬ字形の溝部２ｄを形成した。なお注意喚起シールは、脚部１１，１１間に張り渡すように設ければよい。
【００２１】
上記空間保持部材１０は、脚部１１，１１の間を弾性的に拡開させることにより、脚部１１先端の支持軸１１ａを、器具本体２の開口部に対し着脱することが可能である。そして脚部１１を、Ｌ字形溝部２ｄの鉛直方向部分に嵌合させれば、空間保持部材１０を起立位置Ｓに保持することができ、Ｌ字形溝部２ｄの水平方向部分に嵌合させれば、空間保持部材１０を横臥位置Ｔに保持することができる。なお、空間保持部材１０は、上記起立位置Ｓと横臥位置Ｔとの間で、支持軸１１ａを中心に揺動可能としてもよい。
【００２２】
ところで本例では、空間保持部材１０を横臥位置Ｔとしたとき、その先端部１３が、器具本体２を平面視した投影形状よりも外側へ突出する寸法に設定した。これにより、空間保持部材１０が横臥位置Ｔに在るとき、つまり空間保持部材１０が所期の機能を果たさない状態のときは、この空間保持部材１０が障害となって、器具本体２の頭部２ｂを天井部材３０の開孔３０ａへ挿入することができないようになっている。しかるに空間保持部材１０を起立位置Ｓに設定したとき、つまり空間保持部材１０が機能を果たし得るときは、器具本体２の頭部２ｂを天井部材３０の開孔３０ａへ挿入可能である。従って本例では、空間保持部材１０を横臥状態としたままで照明器具１が設置されるのが防止されるから、天井裏に所要の放熱空間が有るかどうかを確実に認識することができ、天井裏の空間が狭いにもかかわらず誤って埋め込み型照明器具を設置することを阻止できる。
【００２３】
［第３の実施形態］
図４（Ａ）（Ｂ）に示す如く、空間保持部材１０の上端部に、円板状その他適宜形状のダストカバー１２を設け、器具本体２の上面に配置されるソケット４や配線の結線部等に埃が被るのを防ぐことが考えられる。
【００２４】
また本例では、器具本体２を、頭部２ｂの側周面に多数の放熱用リブ２ｅが形成されたものとした。他方、空間保持部材１０は、脚部１１の下端部に折曲形成した支持軸１１ａを、器具本体２の頭部２ｂ側面に形成した開口部２ｆへ挿入可能とした。さらに、器具本体２の頭部２ｂ側周面の放熱用リブ２ｅのうち、上記開口部２ｆの直近位置に切欠２ｇを形成した。そして図４（Ｃ）（Ｄ）に示す如く、上記空間保持部材１０の脚部１１，１１の間を弾性的に拡開させることにより、脚部１１先端の支持軸１１ａを、器具本体２の開口部２ｆに対し着脱することが可能であって、脚部１１をリブ２ｅ，２ｅ間に嵌合させれば、空間保持部材１０が起立位置Ｓに保持され、リブ２ｅの切欠部２ｇに嵌合させれば、空間保持部材１０を横臥位置Ｔに保持することができるようになされている。
【００２５】
［第４の実施形態］
図５（Ｂ）に示す如く上端部を羽根状に折り曲げた注意喚起シール２０を、同図（Ａ）に示すように、空間保持部材１０に貼着することにより、ダストカバー１２を設けることも考えられる。
【００２６】
また本例では、図５（Ｃ）に示すように、器具本体２の頭部２ｂ上面に、空間保持部材１０を起立位置Ｓと横臥位置Ｔとに保持する保持手段６を設けた。この保持手段６は、概略半円筒形で、下部位置と頂部位置とにそれぞれ切欠６ａ、６ｂが形成されている。そして空間保持部材１０の脚部１１先端に折曲形成した支持軸１１ａを、保持手段６内へ挿入する際に、頂部側の切欠６ｂに嵌合させれば空間保持部材１０を起立位置Ｓに保持でき、下部側の切欠６ａに嵌合させれば、空間保持部材１０は横臥位置Ｔに保持される。
【図面の簡単な説明】
【００２７】
【図１】本発明の第１の実施形態に係るものであって、図（Ａ）は天井照明器具の取付状況を示す正面断面図、図（Ｂ）は天井照明器具の取付状況を示す平面図である。
【図２】本発明の第１の実施形態の異なる態様に係るものであって、図（Ａ）は空間保持部材及び器具本体の頭部を示す正面図、図（Ｂ）は空間保持部材及び器具本体の頭部の平面図である。
【図３】本発明の第２の実施形態に係るものであって、図（Ａ）は器具本体及び空間保持部材を示す斜視図、図（Ｂ）は器具本体及び空間保持部材の要部を拡大して示す側面図、図（Ｃ）は空間保持部材の脚部先端を示す斜視図である。
【図４】本発明の第３の実施形態に係るものであって、図（Ａ）は器具本体及び空間保持部材を分解して示す正面図、図（Ｂ）は空間保持部材の平面図、図（Ｃ）は器具本体及び空間保持部材の要部を拡大して示す側面図、図（Ｄ）は器具本体及び空間保持部材の要部を拡大して示す平面断面図である。
【図５】本発明の第４の実施形態に係るものであって、図（Ａ）は器具本体及び空間保持部材を分解して示す正面図、図（Ｂ）は注意喚起シールの斜視図、図（Ｃ）は器具本体に設けた保持手段と空間保持部材の要部とを示す斜視図である。
【図６】従来例に係るものであって、光源、照明器具の器具本体、及び天井の裏面側を示す斜視図である。
【図７】従来の天井照明器具の取付状況を示す正面断面図である。
【符号の説明】
【００２８】
１…天井照明器具  ２…器具本体  ２ａ…フランジ部  ２ｂ…頭部  ２ｃ…スリット  ３…光源  ４…ソケット  １０…空間保持部材  １１…脚部  ２０…注意喚起シール  ３０…天井部材  ３０ａ…開孔  ３１…断熱材  ３２…離隔部
【図１】
2009087804.tif 000003
【図２】
2009087804.tif 000004
【図３】
2009087804.tif 000005
【図４】
2009087804.tif 000006
【図５】
2009087804.tif 000007
【図６】
2009087804.tif 000008
【図７】
2009087804.tif 000009